(57)【要約】【課題】肌に対するダメージを防止することができる光照射型美容装置を提供する。【解決手段】光照射型美容装置（抑毛装置１０）は、対象物（肌Ｓ）にフラッシュライトを照射する照射部５０と、対象物の温度を検出する温度検出部７０と、温度検出部７０の検出温度に基づいて照射部５０を制御する制御部１５とを備え、制御部１５は、温度検出部７０の検出温度が所定値以上である場合には、照射部５０の照射を禁止する。【選択図】図６
2019181005.tif 000002
【特許請求の範囲】
【請求項１】
対象物にフラッシュライトを照射する照射部と、
前記対象物の温度を検出する温度検出部と、
前記温度検出部の検出温度に基づいて前記照射部を制御する制御部とを備え、
前記制御部は、前記温度検出部の検出温度が所定値以上である場合には、前記照射部の照射を禁止する
光照射型美容装置。
【請求項２】
報知部を備え、
前記制御部は、前記温度検出部の検出温度が所定値以上である場合には、前記報知部を制御して報知を行わせる
請求項１に記載の光照射型美容装置。
【請求項３】
前記照射部における前記フラッシュライトが発光する発光領域の周囲に配置されて、前記対象物を冷却する冷却部を備える
請求項１または２に記載の光照射型美容装置。
【請求項４】
前記温度検出部と前記冷却部とをスライドさせるスライド部を備える
請求項３に記載の光照射型美容装置。
【請求項５】
前記冷却部は、冷却剤を保冷する保冷部と、前記保冷部内の前記冷却剤を前記対象物に向けて吐出する吐出部とを備える
請求項３に記載の光照射型美容装置。
【請求項６】
前記温度検出部は、前記照射部における前記フラッシュライトが発光する発光領域の周囲に配置されている
請求項１〜５のいずれか一項に記載の光照射型美容装置。
【請求項７】
前記温度検出部は、接触式の温度センサを含む
請求項１〜６のいずれか一項に記載の光照射型美容装置。
【請求項８】
前記温度検出部は、非接触式の温度センサを含む
請求項１〜６のいずれか一項に記載の光照射型美容装置。
【発明の詳細な説明】
【技術分野】
【０００１】
本発明は、例えば抑毛装置などの光照射型美容装置に関する。
【背景技術】
【０００２】
従来、光照射型美容装置としては、体毛に対して光を照射することで抑毛効果を得る抑毛装置が知られている（例えば特許文献１参照）。
【先行技術文献】
【特許文献】
【０００３】
【特許文献１】特開２０１１−１６７４５０号公報
【発明の概要】
【発明が解決しようとする課題】
【０００４】
表面温度が２５℃以上の肌に対して、高いエネルギー（以下Ｅｇとする）のフラッシュライトを照射してしまうと、肌がダメージを受けてしまうおそれがある。
【０００５】
このため、本発明の目的は、肌に対するダメージを防止することができる光照射型美容装置を提供することである。
【課題を解決するための手段】
【０００６】
上記目的を達成するため、本発明の一態様に係る光照射型美容装置は、対象物にフラッシュライトを照射する照射部と、対象物の温度を検出する温度検出部と、温度検出部の検出温度に基づいて照射部を制御する制御部とを備え、制御部は、温度検出部の検出温度が所定値以上である場合には、照射部の照射を禁止する。
【発明の効果】
【０００７】
本発明に係る光照射型美容装置によれば、肌に対するダメージを防止することができる。
【図面の簡単な説明】
【０００８】
【図１】図１は、実施の形態に係る抑毛装置の概略構成を示す平面図である。
【図２】図２は、実施の形態に係る抑毛装置の概略構成を示す側面図である。
【図３】図３は、実施の形態に係る抑毛装置の概略構成を示す断面図である。
【図４】図４は、実施の形態に係るヘッド部の概略構成を示す平面図である。
【図５】図５は、実施の形態に係るヘッド部の内部構成を示す断面図である。
【図６】図６は、実施の形態に係る抑毛装置の制御構成を示すブロック図である。
【図７】図７は、本実施の形態に係る抑毛装置の制御方法の流れを示すフローチャートである。
【図８】図８は、変形例１に係るヘッド部の概略構成を示す平面図である。
【図９】図９は、変形例１に係るヘッド部の内部構成を示す断面図である。
【図１０】図１０は、変形例１に係る抑毛装置の制御構成を示すブロック図である。
【図１１】図１１は、変形例２に係るヘッド部の概略構成を示す平面図である。
【図１２】図１２は、変形例３に係るヘッド部の内部構成を示す断面図である。
【発明を実施するための形態】
【０００９】
以下では、本発明の実施の形態に係る光照射型美容装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ及びステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［構成］
まず、実施の形態に係る光照射型美容装置の一例としての抑毛装置１０について説明する。図１は、実施の形態に係る抑毛装置１０の概略構成を示す平面図である。図２は、実施の形態に係る抑毛装置１０の概略構成を示す側面図である。図３は、実施の形態に係る抑毛装置１０の概略構成を示す断面図である。具体的には、図３は、図１におけるＩＩＩ−ＩＩＩ切断線を含む切断面を見た断面図である。
【００１２】
図１〜図３に示すように、抑毛装置１０は、外装体である長尺なハウジング２１を備えており、そのハウジング２１の一端部には、肌Ｓ（図５参照）に対してフラッシュライトを照射するためのヘッド部３０が設けられている。また、ハウジング２１の一端部内には、ヘッド部３０を冷却するためのファン３１が設けられている。ハウジング２１の一端部には、ファン３１の吸気及び排気を確保する多数の通気孔３２が設けられている。
【００１３】
ハウジング２１におけるヘッド部３０とは反対側の部分は、ユーザにより把握される把握部４０であり、ヘッド部３０よりも細く形成されている。把握部４０には、電源のＯＮ／ＯＦＦを切り替えるための電源ボタン４１と、フラッシュライトを発光させるための発光ボタン４２と、電源ＯＮ時に点灯し、ＯＦＦ時に消灯する点灯部４３とが設けられている。また、把握部４０の下端部には、商用電源がケーブルを介して接続される電源端子４９が設けられている。
【００１４】
また、図２に示すように、把握部４０内には、回路基板４４、コンデンサ４５などが収容されている。回路基板４４には、ヘッド部３０に備わる照射部５０及び冷却部８０を駆動するための複数の回路部品４６が実装されている。複数の回路部品４６には、マイコンが含まれており、このマイコンが抑毛装置１０の各駆動部を制御する制御部１５（図６参照）である。
【００１５】
また、複数の回路部品４６には、第一スイッチ素子４６１及び第二スイッチ素子４６２（図６参照）が含まれている。第一スイッチ素子４６１は、電源ＯＮ／ＯＦＦ用であり、電源ボタン４１が押下されることで、商用電源からの電力供給のＯＮ／ＯＦＦを切り替えるための制御信号を制御部１５に出力する。第二スイッチ素子４６２は、照射部５０を発光させるためのスイッチ素子であり、発光ボタン４２が押下されることで、照射部５０を発光させるための制御信号（発光信号）を制御部１５に出力する。
【００１６】
コンデンサ４５は、商用電源からの電力を、照射部５０を発光させるための電荷として蓄えるコンデンサである。コンデンサ４５から照射部５０に出力される電力のデューティ比は、制御部１５によって制御されるようになっている。
【００１７】
図４は、実施の形態に係るヘッド部３０の概略構成を示す平面図である。図５は、実施の形態に係るヘッド部３０の内部構成を示す断面図である。
【００１８】
図４及び図５に示すように、ヘッド部３０は、照射部５０と、温度検出部７０と、冷却部８０とを備えている。
【００１９】
照射部５０は、対象物である肌Ｓに対してフラッシュライト（以降、光と称する場合もある。）を照射する。具体的には、照射部５０は、ハウジング２１の一端部に設けられた照射口１１０に向けてフラッシュライトを照射することで、照射口１１０に対向した対象物（肌Ｓ）に対して光を照射する。照射口１１０は、照射部５０におけるフラッシュライトが発光する発光領域である。照射口１１０は平面視において長尺な矩形状に形成されている。
【００２０】
照射部５０は、光源５１と、反射部５２と、フィルタ５３とを備えている。光源５１は、例えば、フラッシュ発光可能な直線的な管状光源であり、例えばキセノンランプである。光源５１は、当該光源５１の軸方向が照射口１１０の長手方向と平行となるように、照射口１１０の短手方向の中央付近に配置されている。
【００２１】
反射部５２は、光源５１が出射した光の一部を照射口１１０に向けて反射するリフレクタである。この反射部５２は、照射口１１０側が開放された凹状空間５２１を有しており、その凹状空間５２１内に光源５１が配置されている。反射部５２における凹状空間５２１をなす凹曲面は、反射面となっている。
【００２２】
フィルタ５３は、凹状空間５２１の開放部分を覆っており、光源５１から照射された光の波長を調整する光学フィルタである。フィルタ５３を透過した光は、抑毛効果を発揮することが可能な波長帯の光となる。抑毛効果を発揮することが可能な波長帯は、毛のメラニンに作用する５００ｎｍ以上１２００ｎｍ以下の波長帯であり、特に８００ｎｍ以上８５０ｎｍ以下の波長帯が特に抑毛効果に寄与している。８００ｎｍ以上８５０ｎｍ以下の波長帯の光照射の積算Ｅｇ（Ａ）と５００ｎｍ以上６００ｎｍ以下の波長帯の光照射の積算Ｅｇ（Ｂ）との比率Ａ／Ｂは、Ａ／Ｂ≧１．２以上あるとより効果的に抑毛効果を得ることができる。
【００２３】
温度検出部７０は肌Ｓの温度を検出する。具体的には、温度検出部７０は１以上（本実施の形態では４つ）の接触式の温度センサ７１を含んでいる。接触式の温度センサ７１としては、例えば接触式サーミスタ、熱電対、測温抵抗体などが挙げられる。４つの温度センサ７１は、照射口１１０の周囲に配置されている。４つの温度センサ７１のうち、一対の温度センサ７１は、照射口１１０の短手方向で当該照射口１１０を挟むように配置されている。また、他の一対の温度センサ７１は、照射口１１０の長手方向で当該照射口１１０を挟むように配置されている。
【００２４】
ここで、光照射の前後においては、肌Ｓにおける受光領域の温度を検出することが望まれる。受光領域とは、肌Ｓにおける照射口１１０に対向した領域であり、施術が施される領域である。つまり照射口１１０内に温度検出部を配置していれば、受光領域の温度を確実に検出することができるが、その場合においては、温度検出部が光を遮ってしまう。本実施の形態のように、温度検出部７０が照射口１１０の周囲に配置されていれば、温度検出部７０は、光を遮ることなく受光領域近傍の温度を検出することが可能である。
【００２５】
冷却部８０は肌Ｓを冷却する。例えば、冷却部８０は、ペルチェ素子などの冷却機能を有した熱電素子である。冷却部８０は、照射口１１０の周囲に配置されている。具体的には、冷却部８０は、照射口１１０の短手方向で並んだ一対の温度センサ７１のうち一方の温度センサ７１を照射口１１０とともに挟む位置に配置されている。つまり、照射口１１０と冷却部８０とは、照射口１１０の短手方向で並んでいる。冷却部８０は平面視において長尺な矩形状であり、その長手方向が照射口１１０の長手方向と平行となるように配置されている。冷却部８０の外表面と、複数の温度センサ７１の表面と、ハウジング２１における照射口１１０の周縁部とは、略面一となっている。これにより、肌Ｓに対して照射口１１０を対向させた場合には、冷却部８０の外表面と、複数の温度センサ７１の表面と、ハウジング２１における照射口１１０の周縁部とを肌Ｓに密着させることができる。冷却部８０の外表面が肌Ｓに密着していれば、肌Ｓを確実に冷却できる。温度センサ７１の表面が肌Ｓに密着していれば、温度検出の正確性を高めることができる。ハウジング２１における照射口１１０の周縁部が肌Ｓに密着していれば、漏れ光を抑制することができる。
【００２６】
次に、抑毛装置１０の制御構成について説明する。図６は、実施の形態に係る抑毛装置１０の制御構成を示すブロック図である。
【００２７】
図６に示すように、抑毛装置１０の制御部１５は、マイコンであり、第一スイッチ素子４６１、第二スイッチ素子４６２、点灯部４３、コンデンサ４５、ファン３１、光源５１、温度検出部７０及び冷却部８０が電気的に接続されている。制御部１５は、第一スイッチ素子４６１から出力された制御信号に基づいて、光源５１、点灯部４３、コンデンサ４５及びファン３１を制御する。
【００２８】
具体的には、制御部１５は、電源ＯＦＦ時に、電源ボタン４１が操作されることによって第一スイッチ素子４６１から制御信号が入力されると、商用電源からの電力を各部に供給する。一方、制御部１５は、電源ＯＮ時に、電源ボタン４１が操作されることによって第一スイッチ素子４６１から制御信号が入力されると、商用電源からの電力の供給を停止する。なお、制御部１５は、電源ＯＮ時においては点灯部４３を点灯させ、電源ＯＦＦ時においては点灯部４３を消灯させる。また、制御部１５は、電源ＯＮ時においてはファン３１を駆動させ、電源ＯＦＦ時においてはファン３１を停止させる。つまり、電源ＯＮ時においては、ファン３１によって照射部５０が冷却されている。
【００２９】
制御部１５は、電源ＯＮ時においては冷却部８０を駆動させ、電源ＯＦＦ時においては冷却部８０を停止させる。つまり、電源ＯＮ時においては、冷却部８０によって肌Ｓが冷却されている。制御部１５は、電源ＯＮ時においては、温度検出部７０の４つの温度センサ７１が検出した温度を監視しており、少なくとも一つの温度センサ７１の検出温度が所定値以上である場合には、照射部５０の光の照射を禁止する。この禁止期間には、制御部１５は、第二スイッチ素子４６２から発光信号が入力されたとしても受け付けない。この場合、制御部１５は、点灯部４３の点灯パターンを通常時と異ならせることで、ユーザに光の照射が禁止された旨を報知する。
【００３０】
一方、制御部１５は、４つの温度センサ７１のそれぞれの検出温度が所定値未満である場合には、照射部５０の光の照射を許可する。この許可期間には、制御部１５は、第二スイッチ素子４６２から入力された発光信号を受け付けて、光源５１を発光させる。
【００３１】
ここで、光照射前の肌Ｓの温度が高ければ高いほど、光照射後においては肌Ｓがダメージを受けやすい。特に、例えばヒゲなどのような太い毛が高密度に生えている部位（顎、頬など）に、上述した波長帯の光を照射すると肌Ｓが高温となってよりダメージを受けやすい。このため、「所定値」は、肌Ｓに対して照射部５０から光を照射したとしても、肌Ｓがそれほどダメージを受けない温度とする。具体的には、種々のシミュレーション、実験等を行うことにより、所定値として適切な値が予め決定されている。また、所定値は照射Ｅｇによって異なる。例えば、照射Ｅｇ≧８Ｊにおいては、肌Ｓの温度が２５℃以上であると、当該肌Ｓにダメージを与える可能性が高い。そのため、所定値は２５℃とする。なお、安全マージンを考慮する場合には所定値を２５℃よりも低い値にする。具体的には、所定値を例えば１５℃とする。
【００３２】
［制御方法］
次に、抑毛装置１０の制御方法について説明する。図７は、本実施の形態に係る抑毛装置１０の制御方法の流れを示すフローチャートである。この制御方法は、電源ＯＮとなってからの流れを示している。
【００３３】
ステップＳ１では、制御部１５は冷却部８０を駆動して肌Ｓを冷却する。制御部１５は、冷却部８０の駆動を電源ＯＦＦまで継続させる。
【００３４】
ステップＳ２では、制御部１５は、４つの温度センサ７１の検出温度に所定値以上の検出温度があるか否かを判断する。制御部１５は、少なくとも一つの温度センサ７１の検出温度が所定値以上である場合にはステップＳ３に移行し、温度センサ７１のそれぞれの検出温度が所定値未満である場合にはステップＳ５に移行する。  ステップＳ３では、制御部１５は照射部５０の光の照射を禁止する。この禁止期間においては、制御部１５は、第二スイッチ素子４６２から発光信号が入力されたとしても受け付けない。つまり、高温化した肌Ｓに照射部５０からの光が照射されないので、肌Ｓに対するダメージを防止することができる。
【００３５】
ステップＳ４では、制御部１５は、点灯部４３を制御して、通常時と異なる点灯パターンで点灯部４３を点灯させる。これにより、照射の禁止がユーザに報知される。ユーザはこの点灯部４３の報知を直接、あるいは鏡越しに視認することで、現在が禁止期間であること、つまり肌Ｓの温度が所定値よりも高いことを把握する。ユーザは、肌Ｓがより冷えるように抑毛装置１０を操作して冷却部８０による肌Ｓへの冷却を促進したり、肌Ｓの温度が所定値以下となるまで抑毛装置１０の使用を控えたり、別の冷却手段（氷、冷却剤など）を肌Ｓにあてたりすることができる。制御部１５は、報知後においてはステップＳ２に移行する。
【００３６】
ステップＳ５では、各温度センサ７１の検出温度が所定値未満であり、肌Ｓに対する安全性がある程度確保された状態であるので、制御部１５は照射部５０の光の照射を許可する。
【００３７】
ステップＳ６では、制御部１５は、許可期間中に第二スイッチ素子４６２から発光信号が入力されたか否かを判断し、発光信号が入力されていない場合にはステップＳ２に移行して、発光信号が入力された場合にはステップＳ５に移行する。許可期間中に再度ステップＳ２に移行されるので、肌Ｓの温度が何らかの要因で所定値未満から所定値以上に上昇した場合には、禁止期間に切り替えられる。
【００３８】
ステップＳ７では、制御部１５は、光源５１を制御して、照射部５０から肌Ｓに対して光を照射する。これにより、肌Ｓに対しては抑毛効果のあるフラッシュ光が照射される。
【００３９】
［効果など］
以上のように、本実施の形態に係る抑毛装置１０は、対象物（肌Ｓ）にフラッシュライトを照射する照射部５０と、対象物の温度を検出する温度検出部７０と、温度検出部７０の検出温度に基づいて照射部５０を制御する制御部１５とを備え、制御部１５は、温度検出部７０の検出温度が所定値以上である場合には、照射部５０の照射を禁止する。
【００４０】
これによれば、温度検出部７０の検出温度が所定値以上である場合には、照射部５０の照射が禁止されているので、高温化した肌Ｓに照射部５０からの光が照射されることを防止することができる。したがって、肌Ｓに対するダメージを防止することができる。
【００４１】
また、抑毛装置１０は、報知部（点灯部４３）を備え、制御部１５は、温度検出部７０の検出温度が所定値以上である場合には、点灯部４３を制御して報知を行わせる。
【００４２】
これによれば、温度検出部７０の検出温度が所定値以上である場合には、点灯部４３によって報知が行われるので、肌Ｓの温度が所定値以上であることをユーザに知らせることができる。ユーザは、この報知に基づいて適切な行動をすることができる。
【００４３】
また、温度検出部７０の検出温度が所定値以上であるにも関わらず、万が一、照射部５０の照射が禁止されていない場合、つまり禁止処理に異常がある場合においても、ユーザは報知により肌Ｓの温度が所定値以上であることを認識することができる。これにより、ユーザは発光ボタン４２に対する操作を自制することができる。
【００４４】
また、抑毛装置１０は、照射部５０におけるフラッシュライトが発光する発光領域（照射口１１０）の周囲に配置されて、肌Ｓを冷却する冷却部８０を備えている。
【００４５】
これによれば、照射部５０の照射口１１０の周囲に冷却部８０が設けられているので、肌Ｓの受光領域の周囲を冷却部８０で冷却することができる。
【００４６】
また、温度検出部７０は、照射部５０におけるフラッシュライトが発光する発光領域の周囲に配置されている。
【００４７】
これによれば、照射部５０の照射口１１０の周囲に温度検出部７０が設けられているので、照射口１１０から照射される光を遮ることなく、肌Ｓの受光領域の周囲の温度を温度検出部７０で検出することができる。
【００４８】
また、温度検出部７０は、接触式の温度センサ７１を含む。
【００４９】
これによれば、温度検出部７０が接触式の温度センサ７１を含んでいるので、簡単な構造で肌Ｓの温度を検出することが可能である。
【００５０】
［変形例］
なお、抑毛装置１０の構成は、上記実施の形態で説明された構成に限定されない。そこで、以下に、抑毛装置についての変形例を上記実施の形態との差分を中心に説明する。以降の説明では、上記実施の形態と同一部分については同一の符号を付してその説明を省略する場合がある。
【００５１】
（変形例１）
上記実施の形態では、温度検出部７０と冷却部８０とがハウジング２１に対して固定された場合を例示した。この変形例１では、温度検出部と冷却部とが可動式である場合について説明する。
【００５２】
図８は、変形例１に係るヘッド部３０Ａの概略構成を示す平面図である。図９は、変形例１に係るヘッド部３０Ａの内部構成を示す断面図である。図１０は、変形例１に係る抑毛装置１０Ａの制御構成を示すブロック図である。具体的には、図８は図４に対応する図であり、図９は図５に対応する図であり、図１０は図６に対応する図である。
【００５３】
図８及び図９に示すように、ヘッド部３０Ａに備わる温度検出部７０ａと冷却部８０ａとはスライド部８５ａによってスライド自在に保持されている。スライド部８５ａは、温度検出部７０ａと冷却部８０ａとを保持する保持フレーム８６ａと、保持フレーム８６ａをスライド移動させるための駆動源８７ａ（図１０参照）とを備えている。駆動源８７ａとしては、例えばモータ、ソレノイド等が挙げられる。
【００５４】
保持フレーム８６ａには、照射口１１０ａが形成されている。保持フレーム８６ａは、温度検出部７０ａの４つの温度センサ７１ａと、冷却部８０ａとの相対的な位置関係を保持したまま、照射口１１０ａの短手方向に沿ってスライドする。具体的には、保持フレーム８６ａは図示しないスライド機構を介して駆動源８７ａに連結されている。駆動源８７ａが駆動することで、スライド機構が動作し保持フレーム８６ａがスライドする。保持フレーム８６ａのスライドによって、４つの温度センサ７１ａ及び冷却部８０ａの設置箇所が、第一の位置と第二の位置とで切り替えられる。
【００５５】
図８及び図９では、４つの温度センサ７１ａ及び冷却部８０ａが第一の位置にある場合を実線で図示している。また、４つの温度センサ７１ａと冷却部８０ａとが第二の位置にある場合を破線で示している。なお、図８及び図９においては、第二の位置にある保持フレーム８６ａの図示は省略している。
【００５６】
第一の位置は、照射部５０から光が照射される場合の４つの温度センサ７１ａ及び冷却部８０ａの設置箇所である。第一の位置では、保持フレーム８６ａの照射口１１０ａが照射部５０に対向している。このため、照射部５０から照射された光は照射口１１０ａを通過して、肌Ｓの受光領域に到達する。
【００５７】
第二の位置は、冷却部８０ａで肌Ｓの受光領域を冷却する場合の４つの温度センサ７１ａ及び冷却部８０ａの設置箇所である。第二の位置では、冷却部８０ａが照射部５０に対向している。
【００５８】
図１０に示すように、スライド部８５ａの駆動源８７ａは制御部１５に電気的に接続されており、この制御部１５の制御に基づいて駆動する。例えば、制御部１５は、許可期間にある場合には駆動源８７ａを制御して、４つの温度センサ７１ａ及び冷却部８０ａを第一の位置に設置する。その後、制御部１５は、第二スイッチ素子４６２から発光信号が入力されると、光源５１を制御して、照射部５０から肌Ｓに対して光を照射する。
【００５９】
一方、制御部１５は、禁止期間にある場合には駆動源８７ａを制御して、４つの温度センサ７１ａ及び冷却部８０ａを第二の位置に設置する。このため、冷却部８０ａが肌Ｓの受光領域に対向することになり、当該受光領域を冷却部８０ａで直接的に冷却することができる。また、万が一、禁止期間中に照射部５０から光が照射されたとしても、その光を冷却部８０ａが遮ることになるため、肌Ｓに対する安全性を確保することができる。
【００６０】
このように、変形例１に係る抑毛装置１０Ａには、温度検出部７０ａと冷却部８０ａとをスライドさせるスライド部８５ａが設けられているので、抑毛装置１０Ａを移動させなくとも温度検出部７０ａと冷却部８０ａとを移動させることができる。これにより、ユーザを煩わせることなく、効率的に肌Ｓを冷却することができる。
【００６１】
（変形例２）
上記実施の形態では、温度検出部７０が接触式の温度センサ７１を含んでいる場合を例示した。この変形例２では、温度検出部が非接触式の温度センサを含んでいる場合を例示する。
【００６２】
図１１は、変形例２に係るヘッド部３０Ｂの概略構成を示す平面図である。具体的には、図１１は図４に対応する図である。
【００６３】
図１１に示すように、温度検出部７０ｂは、二組の非接触式の温度センサ７１ｂを含んでいる。二組の温度センサ７１ｂは、照射口１１０における長手方向の両端部近傍に配置されている。非接触式の温度センサ７１ｂは、赤外線を発する発光素子７１１ｂと、発光素子７１１ｂが発した赤外線を受光する受光素子７１２ｂとを備えている。発光素子７１１ｂと受光素子７１２ｂとは、照射口１１０を短手方向で挟むように配置されている。つまり、発光素子７１１ｂから発せられた赤外線は、肌Ｓの受光領域を通過して受光素子７１２ｂに到達する。受光素子７１２ｂは、受光した赤外線の強度に対応した信号を出力するので、当該信号により肌Ｓの発光領域の温度を検出することができる。
【００６４】
このように、変形例２に係る温度検出部７０ｂは、非接触式の温度センサ７１ｂを含んでいる。温度検出部７０ｂが接触式の温度センサ７１ｂを含んでいるので、肌Ｓの受光領域の温度を確実に検出することが可能である。
【００６５】
（変形例３）
上記実施の形態では、冷却部８０が冷却機能を有した熱電素子である場合を例示した。この変形例３では、冷却剤による冷却を行う冷却部について説明する。
【００６６】
図１２は、変形例３に係るヘッド部３０Ｃの内部構成を示す断面図である。具体的には、図１２は図５に対応する図である。
【００６７】
図１２に示すように、ヘッド部３０Ｃに備わる冷却部８０ｃは、保冷部８１ｃと、吐出部８２ｃとをハウジング２１内に備えている。保冷部８１ｃは、冷却剤Ｃを保冷する貯蔵庫である。冷却剤Ｃとしては、ジェル剤などが挙げられる。保冷部８１ｃは、冷却剤Ｃを所定温度以下（例えば１５℃以下）で保冷する。保冷部８１ｃの底部には、照射口１１０に連通する貫通孔８１１ｃが形成されている。
【００６８】
吐出部８２ｃは、保冷部８１ｃ内の冷却剤Ｃを押し出す押子であり、図示しない駆動源（図示省略）の駆動に基づいて昇降する。駆動源は、制御部１５の制御に基づいて駆動する。駆動源の駆動によって吐出部８２ｃが下降すると、保冷部８１ｃ内の冷却剤Ｃが貫通孔８１１ｃから押し出されて、照射口１１０内に充填される。これにより、肌Ｓの受光領域が冷却剤Ｃによって冷却される。この場合においても、温度検出部７０の検出温度が所定値以上であるときには、照射部５０の照射が禁止されており、温度検出部７０の検出温度が所定値未満であるときには、照射部５０の照射が許可される。
【００６９】
このように、変形例３に係る冷却部８０ｃは、冷却剤Ｃを保冷する保冷部８１ｃと、保冷部８１ｃ内の冷却剤Ｃを肌Ｓに向けて吐出する吐出部８２ｃとを備える。
【００７０】
これによれば、肌Ｓの受光領域に対して直接冷却剤Ｃを吐出することができるので、保冷部８１ｃを移動させなくても、肌Ｓの受光領域を確実に冷却することができる。また、肌Ｓの受光領域は、光照射時においても冷却剤Ｃに覆われているので、肌Ｓを冷却剤Ｃで保護した状態で光を照射することができる。
【００７１】
なお、冷却部は上述したものに限定されず、例えば空冷式、水冷式などの冷却部であってもよい。
【００７２】
［その他］
以上、本発明に係る抑毛装置について、上記実施の形態及び変形例に基づいて説明したが、本発明は、上記実施の形態及び変形例に限定されるものではない。
【００７３】
例えば、上記実施の形態では、発光ボタン４２が操作されることに起因して発光信号が第二スイッチ素子４６２から制御部１５に入力される場合を例示した。しかしながら、例えば制御部１５内において、電源ＯＮ時に所定のタイミングで発光信号が自動生成されてもよい。この場合においても、制御部１５は、禁止期間であるときには発光信号を受け付けず、許可期間であるときには発光信号を受け付ける。
【００７４】
また、照射部５０が一つの光源５１を有している場合を例示した。しかしながら、光源５１の設置個数は、２つ以上であってもよい。
【００７５】
また、上記実施の形態では、報知部として視覚的な報知を行う点灯部４３を例示した。しかし、ユーザに報知が行えるのであれば、その他の報知部を用いることが可能である。その他の報知部としては、例えば聴覚的な報知を行うスピーカまたは触覚的な報知を行う振動装置などが挙げられる。また、種類の異なる報知部を複数組み合わせて用いることも可能である。
【００７６】
また、上記実施の形態では、電源として商用電源を例示したが、一次電池または二次電池などの電池を電源としてもよい。
【００７７】
また、上記実施の形態では、主要構成がハウジング２１と一体的に設けられた抑毛装置１０を例示して説明した。しかし、肌に対して光学的な施術を行うヘッド部と、ヘッド部に電力を供給する電力供給部とがケーブルを介して別体化された抑毛装置であってよい。
【００７８】
また、上記実施の形態では、抑毛専用の光照射型美容装置を例示した。しかし、抑毛機能以外の機能も有する多機能な光照射型美容装置であってもよい。その他の機能としては、抑毛時よりも弱い光を肌に照射することで肌をケアする肌ケア機能などが挙げられる。また、抑毛機能のない光照射型美容装置であってもよい。
【００７９】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【産業上の利用可能性】
【００８０】
本発明は、例えば光学式の抑毛装置などの光照射型美容装置に適用可能である。
【符号の説明】
【００８１】
１０、１０Ａ  抑毛装置（光照射型美容装置）
１５  制御部
２１  ハウジング
３０、３０Ａ、３０Ｂ、３０Ｃ  ヘッド部
３１  ファン
３２  通気孔
４０  把握部
４１  電源ボタン
４２  発光ボタン
４３  点灯部（報知部）
４４  回路基板
４５  コンデンサ
４６  回路部品
４９  電源端子
５０  照射部
５１  光源
５２  反射部
５３  フィルタ
７０、７０ａ、７０ｂ  温度検出部
７１、７１ａ、７１ｂ  温度センサ
８０、８０ａ、８０ｃ  冷却部
８１ｃ  保冷部
８２ｃ  吐出部
８５ａ  スライド部
８６ａ  保持フレーム
８７ａ  駆動源
１１０、１１０ａ  照射口（発光領域）
４６１  第一スイッチ素子
４６２  第二スイッチ素子
５２１  凹状空間
７１１ｂ  発光素子
７１２ｂ  受光素子
８１１ｃ  貫通孔
Ｃ  冷却剤
Ｓ  肌
【図１】
2019181005.tif 000003
【図２】
2019181005.tif 000004
【図３】
2019181005.tif 000005
【図４】
2019181005.tif 000006
【図５】
2019181005.tif 000007
【図６】
2019181005.tif 000008
【図７】
2019181005.tif 000009
【図８】
2019181005.tif 000010
【図９】
2019181005.tif 000011
【図１０】
2019181005.tif 000012
【図１１】
2019181005.tif 000013
【図１２】
2019181005.tif 000014